(57)【特許請求の範囲】
【請求項１】
建物外に立設され、その下端を建物内のスプリンクラー設備等に配管を通じて接続している管体と、この管体の上端に一体に設けられ、その前面に消防ホースの連結用送水口を設けている中空頭部とを備えた送水口装置からなる消火用送水装置であって、送水口装置の上記管体の正面には「送水口」の文字が表記されてあり、この文字以外の管体の表面全面と、上記中空頭部の表面全面とに蓄光塗料を塗布していることを特徴とする消火用送水装置。
【請求項２】
建物外に立設され、その下端を建物内のスプリンクラー設備等に配管を通じて接続している管体と、この管体の上端に一体に設けられ、その前面に消防ホースの連結用送水口を設けている中空頭部とを備えた送水口装置からなる消火用送水装置であって、送水口装置における中空頭部のみに蓄光塗料を塗布していることを特徴とする消火用送水装置。
【発明の詳細な説明】
【技術分野】
【０００１】
本発明は建物内のスプリンクラー設備等に消火水を供給するための送水口装置や、格納箱内に消火用ホースを収納している消火装置などの消火用送水装置に関する。
【背景技術】
【０００２】
上記送水口装置としては、例えば、特許文献１や特許文献２に記載されているような装置が知られている。この送水口装置は、建物外に立設され、その下端を建物内の上記スプリンクラー設備等に配管を通じて接続している管体と、この管体の上端に一体に設けられ、その前面等に消防ホースを接続させる送水口を有する管状の中空頭部とを備えてなり、火災発生時に消防車から引き出された消防ホースを送水口に連結し、消防車に装備しているポンプを作動させることによってポンプから送り出される水を消防ホースを通じて上記送水口から該送水口内に配設している逆止弁を開放させながら管体内に送り込み、管体の下端から上記配管を通じてスプリンクラー設備等に送水するように構成している。
【先行技術文献】
【特許文献】
【０００３】
【特許文献１】特開平８−４０６０号公報
【特許文献２】特開２００１−９５９３７号公報
【発明の概要】
【発明が解決しようとする課題】
【０００４】
しかしながら、上記送水口装置によれば、昼間においてはその設置位置を容易に視認することができて消火活動が円滑に行えるが、夜間においては、設置位置を視認することが困難な場合があり、特に、暗闇では明かりを照射しなければ、視認することができなくなる事態が発生するばかりでなく、中空頭部に設けている接続口に対する消防ホースの接続作業も円滑に行うことができず、一刻を争う消火活動に遅れが生じるといった問題点がある。
【０００５】
本発明はこのような問題点に鑑みてなされたもので、その目的とするところは、夜間に火災が発生した際に、その設置位置を素早く視認することができて消火活動を迅速に行えるようにした消火用送水装置を提供するにある。
【課題を解決するための手段】
【０００６】
上記目的を達成するために本発明の消火用送水装置は、請求項１に記載したように、建物外に立設され、その下端を建物内のスプリンクラー設備等に配管を通じて接続している管体と、この管体の上端に一体に設けられ、その前面に消防ホースの連結用送水口を設けている中空頭部とを備えた送水口装置からなる消火用送水装置であって、送水口装置の上記管体の正面には「送水口」の文字が表記されてあり、この文字以外の管体の表面全面と、上記中空頭部の表面全面とに蓄光塗料を塗布していることを特徴とする。
【０００７】
上記消火用送水装置としての送水口装置において、請求項２に係る発明は、送水口装置における中空頭部のみに蓄光塗料を塗布していることを特徴とする。
【発明の効果】
【０００８】
請求項１に係る発明によれば、建物外に立設している送水口装置の表面全面に蓄光塗料を塗布しているので、夜間においてはこの蓄光塗料の塗布層の発光によって送水口装置全体を暗闇中に浮き上がった状態に鮮明に現出させて遠くからでもその設置位置を素早く確実に視認させることができ、従って、火災が発生した際には消防車をこの送水口装置の近傍位置で停止させて、消防ホースをその送水口に容易に接続させることができ、消火活動を迅速に行うことができる。また、送水口装置が通路等に立設されている場合には、夜間の通行も安全に行うことができる。
【０００９】
請求項２に係る発明によれば、送水口装置における中空頭部のみに上記蓄光塗料を塗布しているので、夜間においては、この中空頭部がその表面から発光する蓄光塗料の塗布層によって空中に浮き上がった状態となって、送水口装置の頭部であることを一目で視認させることができ、火災発生時においてはこの送水口に対する消防ホースの接続作業が能率よく行うことができる。
【図面の簡単な説明】
【００１０】
【図１】本発明消火用送水装置としての送水口装置の一部を断面した正面図。
【図２】中空頭部のみに蓄光塗料を塗布している送水口装置の正面図。
【図３】送水口のみに蓄光塗料を塗布している送水口装置の正面図。
【図４】本発明送水口装置の変形例を示す一部を断面した側面図。
【図５】暗闇で全体が発光している状態を示す簡略斜視図。
【図６】暗闇で頭部のみが発光している状態を示す簡略斜視図。
【図７】暗闇で送水口のみが発光している状態を示す簡略斜視図。
【発明を実施するための形態】
【００１１】
本発明の具体的な実施例を図面について説明すると、図１において、送水口装置Ａは、建物外の地表面に立設され、その下端を建物内に配設しているスプリンクラー設備や消火栓設備等に配管を通じて接続させる一定高さを有する管体１と、この管体１の上端に一体に設けられ、その前面に消防ホースを連結させる送水口３を設けている中空頭部２と、この中空頭部２内における上記送水口３の背面側に設けられた逆止弁（図示せず）とを備えてなり、送水口３は開閉可能なカバー４によって閉止されている。
【００１２】
なお、管体１の上端にその下端を一体に連結、連通させている上記中空頭部２には、図１ではその正面の左右両側部に送水口３、３が設けられているが、図４に示すように上下に小間隔を存して送水口３、３を設けてなる送水口装置であってもよく、また、一カ所のみに送水口を設けた構造であってもよい。
【００１３】
上記のように構成した送水口装置Ａにおいて、上記管体１の正面には、「送水口」の文字が表記されてあり、この文字以外の管体１の表面全面と、カバー４によって閉止されている送水口２を含めて上記中空頭部２の表面全面とに蓄光顔料を配合している蓄光塗料を塗布してなる塗布層５を設けている。
【００１４】
このように、送水口装置Ａの表面全面に蓄光塗料の塗布層５を設けているので、夜間においては、図５に示すように、この蓄光塗料の塗布層５の発光によって送水口装置全体が暗闇中に浮き上がった状態に鮮明に現出して遠くからでもその設置位置を素早く確実に視認させることができ、従って、送水口装置Ａが通路等に立設されていても、この送水口装置Ａを避けながら安全に通行することができる。また、火災が発生した際にはこの送水口装置Ａの設置位置を確認しながら、その送水口３に消防ホースを円滑に接続させることができ、消火活動を迅速に行うことができる。
【００１５】
消火作業は周知のように、消防車に装備しているポンプを作動させることによってポンプから送り出される水を上記送水口装置Ａの送水口３に接続した消防ホース（図示せず）に供給し、その水圧によって逆止弁を開放させながら中空頭部２から管体１内に流動させると共に、管体１の下端から配管を通じてスプリンクラー設備等に送水することによって行われる。
【００１６】
なお、以上の実施例においては、蓄光塗料の塗布層５を送水口装置Ａの管体１と中空頭部２の表面全面とに設けているが、図２に示すように、管体１に塗布層を設けることはなく送水口２のカバー４を含めた中空頭部２の表面全面のみに蓄光塗料の塗布層５を設けおいてもよく、或いは、図３に示すように、中空頭部２の正面に設けている送水口３のみに蓄光塗料の塗布層５を設けておいてもよい。この場合、送水口３とはその開口端を閉止しているカバー４を含むものとする。
【００１７】
このように構成したので、送水口２のカバー４を含めた中空頭部２の表面全面のみに蓄光塗料の塗布層５を設けておくと、夜間においては、図６に示すように、送水口装置Ａの中空頭部がその表面から発光する蓄光塗料の塗布層５によって空中に浮き上がった状態となり、送水口３のみに蓄光塗料の塗布層５を設けておくと、夜間においては、図７に示すように、送水口２のカバー表面から発光する蓄光塗料の塗布層５によって送水口装置Ａの送水口２であることを容易に視認させることができる。
【符号の説明】
【００１８】
Ａ  送水口装置
１  管体
２  中空頭部
３  送水口
４  カバー
５  蓄光塗料の塗布層
【図１】
0006242117.tif 000002
【図２】
0006242117.tif 000003
【図３】
0006242117.tif 000004
【図４】
0006242117.tif 000005
【図５】
0006242117.tif 000006
【図６】
0006242117.tif 000007
【図７】
0006242117.tif 000008